(57)【特許請求の範囲】
【請求項１】
予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置と、
前記データ横取り装置より送信された各種のデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、を実行する作業指示書データ蓄積装置と、
を備えた作業指示書データ蓄積システム。
【請求項２】
データ横取り装置から送信されるデータを蓄積する処理を蓄積装置に実行させるためのプログラムであって、
前記データ横取り装置は、予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置であり、
前記プログラムは、
前記データ横取り装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備える作業指示書データ蓄積プログラム。
【請求項３】
前記データベースを前記第１の装置または前記第２の装置により閲覧可能なフォーマットに変換するステップと、
変換したデータベースを前記第１の装置または前記第２の装置に送信するステップと、
をさらに備える請求項２の作業指示書データ蓄積プログラム。
【請求項４】
データ横取り装置から送信されるデータを蓄積する処理を蓄積装置に実行させるプログラムを記憶領域に備えた蓄積装置であって、
前記データ横取り装置は、予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置であり、
前記プログラムは、
前記データ横取り装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備えた作業指示書データ蓄積プログラムである、
作業指示書データ蓄積装置。
【請求項５】
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと、
前記作業指示書データ出力装置へ送信されたデータと同じデータを作業指示書データ蓄積装置に送信するステップと、
を実行するデータ発行装置と、
前記データ発行装置より送信されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を実行する作業指示書データ蓄積装置と、
を備えた作業指示書データ蓄積システム。
【請求項６】
データ発行装置から送信されるデータを蓄積する処理を蓄積装置に実行させる
ためのプログラムであって、
前記データ発行装置は、
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと
前記作業指示書データ出力装置へ送信されたデータと同じデータを作業指示書データ蓄積装置に送信するステップと、を実行するデータ発行装置であり、
前記プログラムは、
前記データ発行装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備える作業指示書データ蓄積プログラム。
【請求項７】
前記データベースを前記データ発行装置または前記作業指示書データ出力装置により閲覧可能なフォーマットに変換するステップと、
変換したデータベースを前記データ発行装置または前記作業指示書データ出力装置に送信するステップと、
をさらに備える請求項６の作業指示書データ蓄積プログラム。
【請求項８】
データ発行装置から送信されるデータを蓄積する処理を蓄積装置に実行させるプログラムを記憶領域に備えた蓄積装置であって、
前記データ発行装置は、
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと
前記作業指示書データ出力装置へ送信されたデータと同じデータを作業指示書データ蓄積装置に送信するステップと、を実行するデータ発行装置であり、
前記プログラムは、
前記データ発行装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備えた作業指示書データ蓄積プログラムである、
作業指示書データ蓄積装置。
【発明の詳細な説明】
【技術分野】
【０００１】
本発明は、複数の装置間で送受信されるデータを蓄積するシステム、プログラム、装置に関する。
【背景技術】
【０００２】
従来、特許文献１によれば複数の装置間において送受信されるデータを外部に送信するための通信中継装置が開示されている。
【０００３】
また、特許文献２および３のように、装置から出力されたデータのうち、所定の条件を満たすデータをサーバー等に蓄積する技術が開示されている。
【先行技術文献】
【特許文献】
【０００４】
【特許文献１】特開２０１８−１３７５７３号公報
【特許文献２】特許第５９１４３１４号公報
【特許文献３】特開２００８−１５２４０２号公報
【発明の概要】
【発明が解決しようとする課題】
【０００５】
企業が特許文献１ないし３のような技術を導入する目的の１つに、データをサーバー上に集約させることによる業務システムの改善と効率化が挙げられる。
【０００６】
しかしながら、中小企業が元から使用しているハードウェア環境ならびにソフトウェア環境に手を加える形により特許文献１ないし３のような技術を導入することは、コストの面から見て現実的ではない。
【０００７】
本発明の課題は、これらの技術的背景を踏まえ、ユーザーにとっての既存のハードウェア環境およびソフトウェア環境にできるだけ手を加えることなく、低コストでサーバー上にデータを蓄積・管理させるための技術を提供することである。
【課題を解決するための手段】
【０００８】
（作業指示書データ蓄積システムの構成（１））
予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置と、
前記データ横取り装置より送信された各種のデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、を実行する作業指示書データ蓄積装置と、
を備えた作業指示書データ蓄積システム。
【０００９】
（作業指示書データ蓄積プログラムの構成（１））
データ横取り装置から送信されるデータを蓄積する処理を蓄積装置に実行させるためのプログラムであって、
前記データ横取り装置は、予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置であり、
前記プログラムは、
前記データ横取り装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備える作業指示書データ蓄積プログラム。
【００１０】
また、作業指示書データ蓄積プログラムは前記データベースを前記第１の装置または前記第２の装置により閲覧可能なフォーマットに変換するステップと、
変換したデータベースを前記第１の装置または前記第２の装置に送信するステップと、をさらに備えることが好ましい。
【００１１】
（作業指示書データ蓄積装置の構成（１））
データ横取り装置から送信されるデータを蓄積する処理を蓄積装置に実行させるプログラムを記憶領域に備えた蓄積装置であって、
前記データ横取り装置は、予め特定されたほぼ一定のレイアウト構造からなる作業指示書データを含む各種のデータを送信する第１の装置および前記各種のデータを受信する第２の装置の通信経路間に後付け可能に設けられ、第１の装置より送信された各種のデータを蓄積装置に送信するデータ横取り装置であり、
前記プログラムは、
前記データ横取り装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備えた作業指示書データ蓄積プログラムである、
作業指示書データ蓄積装置。
【００１２】
（作業指示書データ蓄積システムの構成（２））
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと
前記作業指示書データ出力装置へ送信されたデータと同じデータを作業指示書データ蓄積装置に送信するステップと、
を実行するデータ発行装置と、
前記データ発行装置より送信されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を実行する作業指示書データ蓄積装置と、
を備えた作業指示書データ蓄積システム。
【００１３】
（作業指示書データ蓄積プログラムの構成（２））
データ発行装置から送信されるデータを蓄積する処理を蓄積装置に実行させる
ためのプログラムであって、
前記データ発行装置は、
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと
前記作業指示書データ出力装置へ送信されたデータと同じデータを作業指示書データ蓄積装置に送信するステップと、を実行するデータ発行装置であり、
前記プログラムは、
前記データ発行装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備える作業指示書データ蓄積プログラム。
【００１４】
また、作業指示書データ蓄積プログラムは前記データベースを前記データ発行装置または前記作業指示書データ出力装置により閲覧可能なフォーマットに変換するステップと、
変換したデータベースを前記データ発行装置または前記作業指示書データ出力装置に送信するステップと、
をさらに備えることが好ましい。
【００１５】
（作業指示書データ蓄積装置の構成（２））
データ発行装置から送信されるデータを蓄積する処理を蓄積装置に実行させるプログラムを記憶領域に備えた蓄積装置であって、
前記データ発行装置は、
予め特定されたほぼ一定のレイアウト構造からなる作業指示書データを、作業指示書データを出力する作業指示書データ出力装置へ送信するステップと、
前記作業指示書データ出力装置へのデータの送信を検知するステップと
前記作業指示書データ出力装置へ送信されたデータと同じデータを作業指示書データ蓄積装置に送信するステップと、を実行するデータ発行装置であり、
前記プログラムは、
前記データ発行装置から出力されたデータを受信するステップと、
受信したデータのイメージ情報が、記憶領域にあらかじめ格納された作業指示書データのイメージ情報と一致するか否かを判別するステップと、
受信したデータのうち、あらかじめ記憶領域に格納された作業指示書データのイメージ情報と一致したデータを記憶領域に蓄積するステップと、
受信したデータよりテキスト情報を抽出するステップと、
抽出したテキスト情報を記憶領域に備えたデータベースに項目毎に記述するステップと、
を備えた作業指示書データ蓄積プログラムである、
作業指示書データ蓄積装置。
【発明の効果】
【００１６】
本発明は、企業において用いられる作業指示書が予め特定されたほぼ一定のレイアウト構造を持つことに着目したものである。蓄積装置が受信したデータが作業指示書か否かを判別する際に、蓄積装置にあらかじめ記憶された作業指示書のイメージデータと一致するか否かを判別の基準とすることにより、作業指示書のファイル形式に依存しない作業指示書の管理システムを安価に実現する。
【図面の簡単な説明】
【００１７】
【図１】本発明の第１の実施形態における作業指示書データ蓄積システムの概要を説明する図
【図２】本発明の第１の実施形態における作業指示書データ蓄積システムの構成を説明するブロック図
【図３】本発明の第１の実施形態における作業指示書データ蓄積装置２００が受信したデータの処理を示したフローチャート
【図４】本発明の第２の実施形態における作業指示書データ蓄積システムの概要を説明する図
【図５】本発明の第２の実施形態における作業指示書データ蓄積システムの構成を説明するブロック図
【図６】本発明の第２の実施形態におけるデータ発行装置５００が作業指示書データ出力装置６００へとデータを送信する際に、送信したデータを作業指示書データ蓄積装置２００へと送信する処理を示したフローチャート
【発明を実施するための形態】
【００１８】
本発明の実施形態について説明する。
【００１９】
（第１の実施形態）
本発明の第１の実施形態の概要を図１および図２により説明する。図１は第１の実施形態における作業指示書データ蓄積システムの概要を説明する図である。
【００２０】
図２は第１の実施形態における作業指示書データ蓄積システムの構成を説明するブロック図である。第１の実施形態の作業指示書データ蓄積システムは、データ横取り装置１００と作業指示書データ蓄積装置２００を備える。
【００２１】
データ横取り装置１００は第１の装置３００と第２の装置４００の通信経路間に設置される。
【００２２】
作業指示書データ蓄積装置２００はデータ横取り装置１００から送信されたデータを受信する。
【００２３】
第１の装置３００と第２の装置４００は作業指示書データ蓄積システムを利用するユーザーが元から使用している業務システムを構成する装置である。
【００２４】
第１の装置３００は作業指示書のデータを含む各種のデータを送信する装置である。第２の装置４００は第１の装置３００から送信されたデータを出力する装置であり、主に印刷装置である。ただし、第２の装置４００は表示装置（キオスク端末、タブレット端末を含む）等の、作業指示書のデータをユーザーに対して可視的に提示する装置でもよい。また、第１の装置３００および第２の装置４００は複数あってもよい。
【００２５】
（データ横取り装置）
データ横取り装置１００は第１の装置３００および第２の装置４００の通信経路間において有線または無線のいずれかの方法により接続される。
【００２６】
データ横取り装置１００は必ずしも第１の装置３００および第２の装置４００に物理的に接続されていることを要しない。
【００２７】
データ横取り装置１００は技術的に可能であればネットワーク上に設置してもよい。
【００２８】
データ横取り装置１００は第１の装置３００と第２の装置４００の間で送受信される、あらゆるデータを作業指示書データ蓄積装置２００へと送信する。
【００２９】
データ横取り装置１００は作業指示書データ蓄積装置２００へとデータを送信するため、第１の装置３００と第２の装置４００の通信ネットワークからは独立した、携帯電話通信網等の通信手段を備えることが好ましい。
【００３０】
（作業指示書データ蓄積装置）
作業指示書データ蓄積装置２００はデータ横取り装置１００より送信された各種のデータを受信し、受信した各種のデータの中から作業指示書データに相当するものを蓄積する装置である。
【００３１】
作業指示書データ蓄積装置２００は主にネットワーク上に設置される。
【００３２】
作業指示書データ蓄積装置２００は複数のユーザー情報を保持する。作業指示書データ蓄積装置２００が備える記憶領域は、複数のユーザー情報ごとに割り当てられる。
【００３３】
ユーザー情報ごとに割り当てられた記憶領域は、ユーザー固有の作業指示書データのイメージ情報を保持する。このイメージ情報は作業指示書データ蓄積装置２００が受信したデータが作業指示書データであるか否かを判別する上での基準となる。
【００３４】
ユーザー固有の作業指示書データのイメージ情報は、作業指示書データ蓄積システムの利用を開始する際に作業指示書データ蓄積装置２００にアップロードされる作業指示書データのイメージ情報である。作業指示書データのファイル形式は作業指示書データ蓄積装置２００のオペレーティングシステム上においてイメージデータとして扱えるものであれば形式は問わない。
【００３５】
図３は作業指示書データ蓄積装置２００が受信したデータの処理を示したフローチャートである。図３中の「Ｓ」は「ステップ」の意である。
【００３６】
作業指示書データ蓄積装置２００はデータ横取り装置１００により送信されたデータを受信し、一時記憶する（ステップ２０１）。この時点では第１の装置３００から送信されたあらゆるデータがデータ横取り装置１００によって作業指示書データ蓄積装置２００に送信される。
【００３７】
作業指示書データ蓄積装置２００は受信したデータからイメージ情報を抽出する（ステップ２０２）。
【００３８】
作業指示書データ蓄積装置２００は記憶領域に予め保持している作業指示書データのイメージ情報を取得する（ステップ２０３）。
【００３９】
作業指示書データ蓄積装置２００は受信したデータから抽出したイメージ情報が、記憶領域に予め保持している作業指示書データのイメージ情報と一致するか否かを判定する（ステップ２０４）。イメージ情報の判別にはＡＩ等を活用した既知の画像判別技術を用いることができる。イメージ情報が一致しないときは、処理を終える。
【００４０】
受信したデータから抽出したイメージ情報が、記憶領域に予め保持している作業指示書データのイメージ情報と一致するときは、作業指示書データ蓄積装置２００は受信したデータを記憶領域に記憶させる（ステップ２０５）。
【００４１】
作業指示書データ蓄積装置２００はOCR処理により、記憶したデータからテキスト情報を抽出する（ステップ２０６）。
【００４２】
作業指示書データ蓄積装置２００は記憶したデータから抽出したテキスト情報を、そのテキストが示す項目ごとに予め記憶領域に保持しているデータベースに記述する（ステップ２０７）。
【００４３】
このようにして作業指示書データ蓄積装置２００に蓄積され、データベースに記述された作業指示書データは、第１の装置３００および第２の装置４００と通信することによりユーザーに対して可視的なフォーマットにより提示される（ステップ２０８）。
【００４４】
（第２の実施形態）
本発明の第２の実施形態の概要を図４および図５により説明する。図４は第２の実施形態における作業指示書データ蓄積システムの概要を説明する図である。図５は第２の実施形態における作業指示書データ蓄積システムの構成を説明するブロック図である。
【００４５】
以下、第２の実施形態において第１の実施形態と異なる点を説明する。第１の実施形態と共通する点については説明を省略する。
【００４６】
第２の実施形態の作業指示書データ蓄積システムは、データ発行装置５００と、サービスの提供者が提供する作業指示書データ蓄積装置２００からなる。
【００４７】
第２の実施形態においては第１の実施形態におけるデータ横取り装置１００に代えて、データ発行装置５００から作業指示書データ出力装置６００へのデータの送信を検知し、作業指示書データ出力装置６００へ送信したデータと同じデータを作業指示書データ蓄積装置２００へと送信する構成としている。
【００４８】
データ発行装置５００は第１の実施形態における第１の装置３００に相当する装置の記憶領域に作業指示書データ蓄積装置２００へデータを送信するためのプログラムを備えたものである。すなわち、第１の実施形態におけるデータ横取り装置１００の役割を第１の装置３００にソフトウェア的に持たせたものがデータ発行装置５００である。
【００４９】
作業指示書データ出力装置６００は第１の実施形態における第２の装置４００に相当する装置であり、主に印刷装置である。ただし、作業指示書データ出力装置６００は表示装置（キオスク端末、タブレット端末を含む）等の、作業指示書のデータをユーザーに対して可視的に提示する装置でもよい。
【００５０】
すなわちデータ発行装置５００と作業指示書データ出力装置６００は本発明の作業指示書データ蓄積システムを利用するユーザーが元から使用している業務システムを構成する装置である。データ発行装置５００と作業指示書データ出力装置６００は複数あってもよい。
【００５１】
（データ送信プログラム）
図６はデータ発行装置５００が作業指示書データ出力装置６００へとデータを送信する際に、送信したデータを作業指示書データ蓄積装置２００へと送信する処理を示したフローチャートである。図６中の「Ｓ」は「ステップ」の意である。
【００５２】
データ発行装置５００は機器外へのデータの送信を検知する（ステップ５０１）。
【００５３】
データ発行装置５００は送信したデータが作業指示書データ出力装置６００へと送信されたものであるかを判別する（ステップ５０２）。すなわちデータ発行装置５００がデータを送信するのは作業指示書データ出力装置６００だけとは限られないので、このような処理をする。
【００５４】
データ発行装置５００が送信したデータが作業指示書データ出力装置６００へと送信されたものであるときは、データ発行装置５００は作業指示書データ出力装置６００へ送信されたデータと同じデータを作業指示書データ蓄積装置２００へと送信する（ステップ５０３）。
【００５５】
作業指示書データ蓄積装置２００へと送信されたデータの処理については第１の実施形態における作業指示書データ蓄積装置２００による処理と同様である。
【００５６】
第２の実施形態において作業指示書データ蓄積装置２００に蓄積され、データベースに記述された作業指示書データは、データ発行装置５００および作業指示書データ出力装置６００と通信することによりユーザーに対して可視的なフォーマットにより提示される。
【００５７】
（その他のデータ蓄積システムへの応用）
企業において用いられる図面、ＣＡＤデータ、見積書、工程管理表、機械稼働管理表、等のドキュメントデータはいずれもイメージ情報を持ち、かつ予め特定されたほぼ一定のレイアウト構造からなるものである。このようなデータであれば、本発明は応用できる。
【００５８】
（結び）
本発明のデータ横取り装置１００、作業指示書データ蓄積装置２００、データ発行装置５００、作業指示書データ出力装置６００、はいずれも機能概念的なものであり、専用の装置として機能するものであることを要しない。
【００５９】
また、以上説明した実施形態は、本発明の理解を容易にするために記載されたものであって、本発明の用途を限定するために記載されたものではなく、本発明の各実施形態は上記で説明したもの以外にも適宜組み合わせて実施しうる。
【００６０】
また、本発明におけるハードウェア装置の構成、ハードウェア装置の形状、各ハードウェア動作に関わるプログラム、データ形式、プログラム言語等は、特定のものに依存しておらず、上記説明した実施形態は一例にすぎない。
【００６１】
したがって、上記の実施形態に開示された各要素は、本発明の技術的範囲に属する全ての設計変更や均等物が含まれる。
【符号の説明】
【００６２】
１００  データ横取り装置
２００  作業指示書データ蓄積装置
３００  第１の装置
４００  第２の装置
５００  データ発行装置
６００  作業指示書データ出力装置
【要約】
【課題】  ユーザーにとっての既存のハードウェア環境およびソフトウェア環境にできるだけ手を加えることなく、低コストでサーバー上にデータを蓄積・管理させるための技術を提供する。
【解決手段】  企業において用いられる作業指示書が予め特定されたほぼ一定のレイアウト構造を持つことに着目し、サーバーにあらかじめ記憶された作業指示書のイメージデータと一致するか否かを判別の基準とすることにより、作業指示書のファイル形式に依存せず、顧客の現在使用している作業指示書の管理システムに極力手を加えることなく後付けで作業指示書をサーバー上で管理可能とするシステムを安価に実現する。
【選択図】図１【図１】
0006675748.tif 000002
【図２】
0006675748.tif 000003
【図３】
0006675748.tif 000004
【図４】
0006675748.tif 000005
【図５】
0006675748.tif 000006
【図６】
0006675748.tif 000007